(57)【要約】【課題】従来衣類を輸送するときに特別に製作していたハンガー掛止部材に代わる掛止部を持つ段ボール箱を提供する。【解決手段】段ボール箱は、上下面材１、２、前後面材３、４、側面材５、及び外カバー６で形成されていて、間隔ｄを空けてＹ方向に平行に箱の外から中まで貫通するように切られた二つの切れ目７を有する。切れ目７の一端側７１は境界３１から距離ｚ１  だけ前面材３側に入ったＰ１  位置にあり、他端側７２は境界４１から上面材１側に距離ｙだけ離れた位置Ｐ２  にある。ｄ、ｚ１  及びｙは例えば２ｃｍ程度にされる。【効果】切れ目７の間隔部分を押すとハンガーのフック部１０ａを掛けられる掛止部８が形成される。従来のハンガー掛止部材を不要にして輸送コストを低減し、その着脱の手間を省き、更に省資源及びゴミ削減にも寄与することができる。【選択図】        図１
2005022705.tif 000002
【特許請求の範囲】
【請求項１】
立てて置かれたときにＸＹＺ座標軸のＸ−Ｙ面を形成する上面材及び下面材とＸ−Ｚ面を形成する前面材及び後面材とＹ−Ｚ面を形成する両側の側面材とを備えていてフック部を備えたハンガーにかけられた衣類を中に入れて運搬するための段ボール箱において、
前記Ｘ方向の中央部分に間隔を空けて前記Ｙ方向に平行に外から前記中まで貫通するように切られた二つの切れ目であって該切れ目の一端側が前記前面材の前記上面材に近い第１位置にあり他端側が前記上面材の前記後面材に近い位置から前記後面材の前記上面材に近い位置までの間の第２位置にあり前記第１位置から前記第２位置まで連続して切られていて前記間隔の部分が前記外から前記中に押されたときに前記フック部が通過可能な空間を形成するように設けられた切れ目を有することを特徴とする段ボール箱。
【発明の詳細な説明】
【０００１】
【発明の属する技術分野】
本発明は、フック部を備えたハンガーにかけられた衣類を中に入れて運搬するための段ボール箱に関し、フック部を掛止する掛止部材の製作技術として利用される。
【０００２】
【従来の技術】
例えば背広や婦人服等の衣類は、製造元から中間販売店を経由して又は直接小売店等に輸送される。このようなとき、通常図４に示す如く、段ボール箱の上面材１に切欠き１００を作り、これに樹脂材等でできたハンガー掛止部材１０１を取り付け、このハンガー掛止部材１０１に衣類１１を掛けたハンガー１０のフック部１０ａを引っかけた状態で衣類を入れ、このような衣類をＹ方向に図の例では３枚収納し、段ボール箱を横に寝させた状態で運搬車に搭載して輸送するようにしていた。
【０００３】
しかしながら、このようなハンガー掛止部材１０１を使用すると、その製造コスト分だけ輸送費が高くなること、ハンガー掛止部材１０１は輸送後に廃棄されるので材料が無駄になると共に余分なゴミが発生すること、ハンガー掛止部材の段ボール箱への着脱に余分な手間がかかること、等の諸問題がある。
【０００４】
【発明が解決しようとする課題】
本発明は従来技術における上記問題を解決し、衣類を輸送するときの特別に製作するハンガー掛止部材が不要で、輸送コストが低減され余分な手間が省けると共に、省資源及びゴミ削減にも寄与することができる衣類運搬用の段ボール箱を提供することを課題とする。
【０００５】
【課題を解決するための手段】
本発明は上記課題を解決するために、請求項１の発明は、立てて置かれたときにＸＹＺ座標軸のＸ−Ｙ面を形成する上面材及び下面材とＸ−Ｚ面を形成する前面材及び後面材とＹ−Ｚ面を形成する両側の側面材とを備えていてフック部を備えたハンガーにかけられた衣類を中に入れて運搬するための段ボール箱において、
前記Ｘ方向の中央部分に間隔を空けて前記Ｙ方向に平行に外から前記中まで貫通するように切られた二つの切れ目であって該切れ目の一端側が前記前面材の前記上面材に近い第１位置にあり他端側が前記上面材の前記後面材に近い位置から前記後面材の前記上面材に近い位置までの間の第２位置にあり前記第１位置から前記第２位置まで連続して切られていて前記間隔の部分が前記外から前記中に押されたときに前記フック部が通過可能な空間を形成するように設けられた切れ目を有することを特徴とする。
【０００６】
【発明の実施の形態】
図１は本発明を適用した段ボール箱の全体構成の一例を示す。
段ボール箱は、一般的な構造として、図示のように立てて置かれたときにＸＹＺ座標軸のＸ−Ｙ面を形成する上面材１及び下面材２とＸ−Ｚ面を形成する前面材３及び後面材４とＹ−Ｚ面を形成する両側の側面材５とを備えていて、図２にも示すようなフック部１０ａを備えたハンガー１０にかけられた背広の上着等の衣類１１を中に入れて運搬するためのものである。符号６は外カバーである。このような段ボール箱は、通常のものと同様に前後、左右及び上下方向に対称になっている。従って、上面材１、下面材２、前面材３及び裏面材４として示している部材名称のうちの上下前後は、仮に図示の如く立てて置いたときの状態を表現したものである。
【０００７】
このような段ボール箱の特徴部分として、Ｘ方向の中央部分に間隔ｄを空けてＹ方向に平行に箱の外から中まで貫通するように切られた二つの切れ目７が設けられている。図１（ｂ）に示す如く、切れ目７の一端側７１は、前面材３の上面材１に近い第１位置として本例では両材の境界３１から距離ｚ１  だけ前面材３側に入ったＰ１  位置にあり、他端側７２は、上面材１の後面材４に近い位置ｐ１  から後面材４の上面材１に近い位置ｐ２  までの間の第２位置として本例では上面材１と後面材４との境界４１から距離ｙだけ離れた前記位置ｐ１  ＝Ｐ２  の位置にある。そして、切れ目７は、Ｐ１  位置からＰ２  位置まで連続して切られている。
【０００８】
このような切れ目７は、図１（ｂ）乃至（ｄ）に示すように、間隔ｄの部分である掛止部８が外から中に矢印の方向に押されたときに、ハンガー１０のフック部１０ａが通過可能な空間Ｓを形成するように設けられている。即ち、掛止部８は、フック部１０ａがある程度余裕を持って掛けられればよいので、第１位置Ｐ１  及び第２位置Ｐ２  の距離ｚ１  及びｙが不必要に大きくなることなく適当に小さくなるように形成されている。そして、間隔ｄは例えば２ｃｍ位にされ、距離ｚ１  及びｙも例えば２ｃｍ程度にされる。間隔ｄは衣類１１の重量等によって加減される。なお、掛止部８の一端側７１及び他端側７２の部分には、この部分が曲がりやすいように外からプレスして凹み線を付けるようにしてもよい。
【０００９】
図２は以上のような段ボール箱の使用時の状態を示す。
段ボール箱は例えば長さ８５ｃｍ×幅４５ｃｍ×厚み１５ｃｍ程度の寸法に製造され、製造工場において又は衣類を輸送する工場等において図１に示す切れ目７が加工される。このような切れ目７は、段ボール箱製造時に自動的に入れられてもよいし、切れ目のない標準の段ボール箱にカッター等で入れられてもよい。何れの場合でも、このような切れ目は極めて容易に入れられる。
【００１０】
衣類を輸送するときには、図１（ｂ）乃至（ｄ）に示す如く、間隔ｄの部分を外から中の方向に押し出して掛止部８を形成する。このときには、図１（ｂ）に示す掛止部８の一端側７１及び他端側７２の部分が同図（ｃ）に示すように内側に折れ曲がると共に、最初に９０°曲がって境界３１を形成している部分が延び、掛止部８は段ボール箱の中で平面状になる。そして、同図（ｃ）及び（ｄ）に示すようにハンガーのフック部１０ａの入る空間Ｓが形成される。なお、切れ目７の間隔部分から掛止部８が形成されるときには、実際には掛止部８に折れ目が付くが、使用上や強度上全く問題にならない。
【００１１】
掛止部８が形成された段ボール箱は、図２に示すように横にして使用される。そして、例えば背広の上着等の衣類１１をハンガー１０に掛け、そのフック部１０ａを掛止部８と上面材１との間の空間Ｓの中に通して掛止部８に引っかけた状態で寝させて置き、このようなセットを例えば３枚程度重ねて、裾の部分と段ボール箱の前面材３及び外部カバー６との間に図示を省略しているが詰め物を詰めて３枚の衣類１１の状態を安定させ、これをトラック等の輸送車に乗せて輸送することになる。
【００１２】
このように輸送中には、衣類１１が輸送車の中で多少揺すられても、掛止部８にかかる力は小さいので、段ボール箱自体から加工した本発明適用の掛止部８であっても、その強度は十分であり問題にならない。
【００１３】
このような衣類を入れた段ボール箱を販売店等が受け取ると、通常、直ちに段ボール箱から中の衣類を取り出す。このとき、衣類１１が段ボール箱の中でハンガーに掛けられているので、そのまま取り出して直ちに衣裳掛け等に掛けて商品である衣類１１を手軽に早く型崩れ等をさせることなく一時的にストックすることができる。
【００１４】
なお、衣類１１を段ボール箱の中に一定期間入れた状態にしておかなければならない場合もあり得るが、そのようなときには、段ボール箱を立てて衣類をハンガーに掛けて吊り下げた状態で保持する。即ち、段ボール箱を一時的に衣装掛けとして利用する。このとき、段ボール箱の掛止部８は、３枚の背広等の衣類１１を吊り下げることになるが、掛止部８はそのような力にも十分耐えることができる。
【００１５】
この点について発明者等は、前記のような寸法の段ボール箱を準備して、これに図１に示すｄ、ｚ１  、ｚ２  のそれぞれの寸法を約２ｃｍンチにした切れ目７を作り、掛止部８のその中心部分の一点に重りを吊り下げ、掛止部８の耐荷重テストを行った。その結果によれば、重りを４ｋｇにしたときには吊り下げ状態を維持することができ、重りを５ｋｇにすると、他端側７２の部分に後面材４方向に裂け目が生じて破損した。
【００１６】
段ボール箱に入れられる衣類は通常３ｋｇ程度以下の重さであるから、本発明を適用した段ボール箱は、前記のように立てて衣類を吊り下げておくような使用状態にも耐えることができる。なお、衣類が重い場合には、間隔ｄを広くすることができる。
【００１７】
図３は切れ目７の他の例を示す。
本例では、他端側７２を図１（ｂ）に示すｐ２  位置にして、一端側７１  の境界３１からの距離をｚ１  の半分程度の距離ｚ２  にしている。この例では、矢印のように掛止部８を押し下げたときに、図３（ｂ）のようにｚ１  の寸法の空間Ｓが得られることになる。本例の切れ目７も図１のものと同様の作用効果を有するが、本例の掛止部８は、５ｋｇの吊り下げ重量に耐えることができた。
以上のような段ボール箱によれば、衣類を輸送するときに従来取り付けられていた特別のハンガー掛止部材が不要になる。その結果、そのための製造コストが不要になり、輸送コストが低減されと共に、その着脱のための余分な手間を省くことができる。又、ハンガー掛止部材は通常再生できない樹脂材等で作られるので、これを不要にすることにより、省資源及び使用後の廃棄時のゴミ削減にも寄与することができる。
【００１８】
なお本発明は、通常の紙材を用いた段ボール箱に好都合に適用されて上記のような作用効果を奏するものであるが、プラスチック材等でできていて繰り返し使用の可能な衣類運搬用の段ボール箱にも適用可能である。そしてその場合でも、従来の付属のハンガー掛止部材が不要になり、それに伴う諸効果を得ることができる。
【００１９】
【発明の効果】
以上の如く本発明によれば、請求項１の発明においては、立てて置かれたときにＸＹＺ座標軸のＸ−Ｙ面を形成する上面材及び下面材とＸ−Ｚ面を形成する前面材及び後面材とＹ−Ｚ面を形成する両側の側面材とを備えていてフック部を備えたハンガーにかけられた衣類を中に入れて運搬するための段ボール箱が、Ｘ方向の中央部分に間隔を空けてＹ方向に平行に外から中まで貫通するように切られた二つの切れ目を有し、この切れ目が、その一端側が前面材の上面材に近い第１位置にあり、他端側が上面材の後面材に近い位置から後面材の上面材に近い位置までの間の第２位置として例えば上面材の範囲内で後面材に近い位置にあり、前記第１位置から前記第２位置まで連続して切られているように設けられるので、切れ目の間隔部分を段ボール箱の外から中の方向に押すと、第１位置として前面材の範囲で上面材に近い位置を一端側として、それより上面材側にある間隔部分の前面材と上面材との境界になっている９０°に曲がった部分が伸びると共に、第２位置で平面であった間隔部分が折れ曲がり、更に第２位置からＺ方向に第１位置の方向に第１位置に近い位置になった所で第１位置の方向に折れ曲がり、この位置と第１位置との間が連続した間隔部分になり、上面材との間に空間が生ずる。
【００２０】
そして、以上のような切れ目は、上記のように押された後の間隔の部分が、フック部が通過可能な前記空間を形成するように設けられるので、ハンガーに衣類をかけてそのフック部を切れ目を押して形成した前記空間に通し、間隔の部分でフック部を掛止した状態で衣類を段ボール箱の中に入れ、その状態で衣類の製造所等から販売店等まで運搬し、運搬後にそのまま衣類を取り出してその保管場所にハンガーで吊るすことができる。即ち、従来の特製のハンガー掛止部材具に代えて、段ボール箱自体で作られた切れ目の間隔部分を、従来のハンガー掛止部材と同様に使用することができる。
【００２１】
その結果、従来の特製のハンガー掛止部材を不要なものにして、そのための製造コストをなくして衣類の輸送コストを低減されることができる。又、そのようなハンガー掛止部材の着脱のための余分な手間を省くことができる。更に、通常再生されない樹脂材等で作られるハンガー掛止部材を不要にすることにより、省資源及び使用後の廃棄時のゴミ削減にも寄与することができる。
【図面の簡単な説明】
【図１】本発明を適用した段ボール箱の構造例を示し、（ａ）は全体の斜視図、（ｂ）は切れ目部分を拡大して示した斜視図、（ｃ）は切れ目の間隔部分を押して凹ました状態を示す斜視図、そして（ｄ）は間隔部分にハンガーのフック部を掛けた状態を示す側面図である。
【図２】（ａ）及び（ｂ）は上記段ボール箱に衣類を入れた内部の状態を示す平面図及び側面図である。
【図３】（ａ）及び（ｂ）は掛止部の他の構造例を示す斜視図及び断面図である。
【図４】従来の段ボール箱の構造例を示し、（ａ）は全体の内部側面図、（ｂ）はハンガー掛止部材部分の断面図、（ｃ）は上記部分の平面図である。
【符号の説明】
１                上面材
２                下面材
３                前面材３
４                後面材
５                側面材
７                切れ目
８                掛止部（間隔の部分）
１０              ハンガー
１０ａ            フック部
１１              衣類
７１              一端側
７２              他端側
ｄ                間隔
Ｐ１                第１位置
Ｐ２                第２位置
Ｓ                空間
【図１】
2005022705.tif 000003
【図２】
2005022705.tif 000004
【図３】
2005022705.tif 000005
【図４】
2005022705.tif 000006